(57)【要約】【課題】市町村合併時の外字統合作業の部分を切り離して、外部委託に作業を行わせることで、作業負荷の軽減を図る。【解決手段】各システムから抽出された後、フォーマット統一された白黒ビットマップ文字集合ファイル１３と、優先順位の最も高いシステムの文字とそれ以下の優先順位のシステムの文字とに振り分けられた後の同定する文字集合ファイル１５と、同定される文字集合ファイル１６と、同定率の高い順に予め定められた数の文字を出力し、基準に基づき同定対象を抽出して作成された同定対象抽出一覧ファイル１８と、それによりユーザが該同定対象抽出一覧の文字を確認し、不要な文字を削除した後の排除済同定文字集合ファイル２０とを具備する。【選択図】        図１
2004309754.tif 000002
【特許請求の範囲】
【請求項１】
各システムで使用していた外字文字を統一して、新システムに移行するための文字同定支援サービスシステムにおいて、
各システムから抽出された後、フォーマット統一された白黒ビットマップ文字集合ファイルと、
該白黒ビットマップ文字集合ファイルに対して、優先順位の最も高いシステムの文字とそれ以下の優先順位のシステムの文字とに振り分けられた結果の優先順位の最も高いシステムの同定する文字集合ファイルと、それ以外のシステムの同定とみなす文字集合ファイルと、
該文字集合ファイルから同定率の高い順に予め定められた数の文字を出力し、出力された文字の中に一つも含まれないシステムが存在した場合、出力した文字の中で同定率の低い方を、含まれないシステムの中で同定率の高い文字と置き換えるという基準で、同定対象を抽出して作成された同定対象抽出一覧画面と、
ユーザにより該同定対象抽出一覧画面上の文字の同定確認が行われ、同定確認処理が完了したとき、同定とみなす文字集合のうち、同定が確認された文字を排除した文字集合ファイルとを具備したことを特徴とする文字同定支援サービスシステム。
【請求項２】
請求項１に記載の文字同定支援サービスシステムにおいて、前記同定対象抽出一覧画面で同定と認定された文字の出力は、画面上から排除した文字集合ファイルに格納されることを特徴とする文字同定支援サービスシステム。
【請求項３】
請求項１または２に記載の文字同定支援サービスシステムにおいて、
前記同定対象抽出一覧画面は、同定する文字集合の一文字ずつを同定される文字集合の全文字と比較し、その同定率を算出する流通しているプログラムを利用して同定率の高い順に予め定められた文字数ずつ比較文字として表示し、その中に一つも含まれない市の文字が存在した場合には、抽出された文字から同定率の低い文字と抽出対象に含まれない市の文字の中で同定率の高い文字と置き換えることにより、同定される文字に統合される全てのシステムの文字を表示することを特徴とする文字同定支援サービスシステム。
【発明の詳細な説明】
【０００１】
【発明の属する技術分野】
本発明は、市町村合併時の外字統合作業の部分を切り出して作業委託することで、作業負担の軽減を図る文字同定支援サービスシステムに関する。
【０００２】
【従来の技術】
従来、例えば、Ａ，Ｂ，Ｃの３市が合併した場合に、外字を統一する方法としては、Ａ，Ｂ，Ｃの３市がそれぞれ登録している外字を抽出して、目で見ながら最も優先する文字パターンを一つ決定して、代表フォントとすることを手作業で行う必要があった。この場合、外字は、通常、人手でビットパターンを作成していた。従って、複数の自治体の間では、ビットパターンが微妙に異なっているのが通常である。
【０００３】
【発明が解決しようとする課題】
このように、市町村合併などでシステムの統合化が発生した場合に、各システムで使用していた外字を統一することになる。そのときに、外字の二重登録を防ぐために、各システムが持つ外字同士で同定可能か否かをチェックし、同定可能な文字については一つの文字だけ新システムに登録することとする。
しかしながら、前述のように、手作業で統合作業を行うと極めて作業量が多いため、作業精度がよくなく、かつトータルコストが非常にかかることになる。
【０００４】
本発明の目的は、このような従来の課題を解決し、市町村合併などでシステムの統合化を行う場合に、外字の二重登録を防止するため、各システムが持つ外字同士で同定可能か否かをチェックする際に、この文字同定作業にかかるコストを削減することが可能な文字同定支援サービスシステムを提供することにある。
【０００５】
なお、同定とは、２つの文字を比較して、これらの２つの文字が同じであると認めることを言う。
また、同定率とは、２つの文字を比較して、これらの２つの文字が同じである確率を言う。
【０００６】
【課題を解決するための手段】
本発明の文字同定支援サービスシステムは、移行用の文字が各システムから抽出された後、フォーマット統一された白黒ビットマップ文字集合ファイルと、該白黒ビットマップ文字集合ファイルに対して、優先順位の最も高いシステムの文字とそれ以下の優先順位のシステムの文字とに振り分けられた後の前者のシステムの同定する文字集合ファイルと、後者のシステムの同定とみなす文字集合ファイルと、同定率の高い順に予め定められた数の文字を出力し、出力された文字の中に一つも含まれないシステムが存在した場合、出力した文字の中で同定率の低い方を含まれないシステムの中で同定率の高い文字と置き換えるという基準で、同定対象を抽出して作成された同定対象抽出一覧ファイルと、ユーザにより該同定対象抽出一覧の文字の同定確認を行い、同定と認定された同定対象抽出一覧画面と、該同定済み同定対象抽出一覧画面に対して、同定とみなす文字集合のうち、同定と認定された文字を排除した文字集合ファイルとを具備したことを特徴としている。
【０００７】
【発明の実施の形態】
以下、本発明の実施の形態を、図面により詳細に説明する。
（文字同定支援サービスの流れ）
図１は、本発明の実施形態を示す文字同定支援サービスシステムの動作概要図である。
図１に示すように、ユーザ側（市町村側）と外部委託側とで作業を分担して行う。ユーザ側では、まず既存外字ファイル１１を抽出し、外部委託側に渡す。
外部委託側では、まず▲１▼フォーマットを統一する。例えば、各システムの文字フォントを白黒ビットマップファイルに統一する。次に、白黒ビットマップファイルの文字集合ファイル１３から▲２▼同定文字振り分け作業に移る。これは、優先順位の最も高いシステムの文字（同定する文字集合）１５とそれ以下の優先順位のシステムの文字（同定とみなす文字集合）１６とに振り分ける（１４）。
【０００８】
次に、▲３▼同定対象を抽出し（１７）、同定対象抽出一覧ファイル１８を作成する。
ここで、同定対象の抽出基準は、同定する文字集合の一文字ずつを同定される文字集合の全文字と比較し、その同定率を算出する流通しているプログラムを利用して同定率の高い順に予め定められた文字数ずつ出力し（比較文字として表示）、その中に一つも含まれない市の文字が存在した場合には（例えば、Ａ市が基準で、Ｂ市の文字のみが出力され、Ｃ市が出力されないとき等）、抽出された文字から同定率の低い文字と抽出対象に含まれない市の文字（例えば、前記の場合のＣ市）の中で同定率の高い文字と置き換える。このようにすれば、比較のための出力をＢ市、Ｃ市・・の全てにわたって表示することができる。このようにして作成した同定対象抽出一覧ファイル１８をユーザ側に渡す。
この処理を指定した出力文字数分だけ、同定対象抽出一覧ファイル１８に格納する。なお、同定率とは、２つの文字を比較して、これらの文字が同じである確率のこと、を言う。
【０００９】
ユーザ側では、▲４▼同定確認を行う（１９）。すなわち、同定対象抽出一覧ファイル１８から読み出した文字を画面に表示し、人間の目で同定の確認を行い、同定と認定する文字にマークをつける。なお、同定確認の検査は画面上で行われる。
ユーザ側では、同定とみなす文字集合がなくなるまで同じ処理を繰り返した後、マークを付けた文字を削除後、図１０のフォーマットに変換し、移行後外字ファイル２３に格納する。
【００１０】
（ユーザ側の同定確認作業の概要）
図２および図３は、実際の同定作業の説明図であって、Ａ市，Ｂ市，Ｃ市間で外字の統合を行う方法を示す。
図２は、１回目の同定作業（Ａ市を基準に、Ｂ市、Ｃ市と同定を行う）の説明図であって、左側に移行決定文字を全て表示するとともに、右側に移行しない文字対象を表示する。Ａ市移行分とＢ市、Ｃ市の文字で比較して、最適な文字を選択して表示する。同定とみなすＢ市、Ｃ市の文字から同様の文字で削除を希望するものをチェックする。
ここでは、移行決定文字の『挙』に対して、Ｂ市とＣ市のこれに近似した文字として、『擧』ないし『攀』が表示されており、チェックの結果、Ｂ市の『擧』に○（つまり、削除希望）が付けられる。同じようにして、『宝』に対してＢ市の『寳』とＣ市の『寶』が表示され、比較された結果、削除希望がないことになる（○は付されない）。
【００１１】
図３は、２回目の同定作業（Ｂ市を基準にＣ市と同定を行う）の説明図である。
２つの市町村合併に伴うシステム統合の場合には、１回だけの同定作業で済むが、３つの市町村合併に伴うシステム統合の場合には、ＡとＢ，Ｃとの同定作業、および、ＢとＣの同定作業の２回が必要となる。
左側には、Ｂ市分１６００文字（１回目作業で削除されなかったもの）を順次表示し、右側には、左側の文字と類似するパターンのＣ市の文字を順次表示する。Ｂ市移行分とＣ市の文字とで比較し、最適な文字を選択して表示する。そして、選択されなかったＣ市の文字から同様の文字で削除希望するものをチェックする。ここでは、移行決定文字の『実』に対して、Ｃ市の『實』が表示され、同じく『将』に対して、Ｃ市の『將』が表示される。『將』には削除希望がなく、○が付されない。
【００１２】
（画面遷移の詳細説明）
図４は、本発明における文字同定画面遷移のフロー図であり、図５〜図９は図４における各画面の拡大図である。
図５に示すように、文字同定システムメインメニューの画面を表示すると、▲１▼フォーマット統一処理、▲２▼同定文字振り分け処理、▲３▼対象出力文字数選択処理、▲４▼同定文字排除処理、▲５▼終了、のメニューボタンが表示される。希望のボタンを押下して選択することで、希望の処理画面が表示される。
【００１３】
まず、図４の画面上でフォーマット統一処理を選択すると、図６のフォーマット統一画面に遷移される。
フォーマット統一画面は、既存外字ファイルとそのシステム名称の入力領域があり、参照、登録、戻るのボタン領域が配置されている。参照ボタンを操作すると窓が表示される。そして、既存外字ファイル入力領域に、▲１▼既存外字ファイル名称を一つずつ入力する。このように、▲１▼には２つの機能が含まれている。▲２▼既存外字ファイルの入力前のシステム名称を入力する。登録するときには、登録ボタンを選択することにより既存外字ファイル名とシステム名称が登録される。また、前の画面に戻るときには戻るボタンを選択する。
【００１４】
次に、図４の画面上で同定文字振分処理を選択すると、図７の同定文字振分画面に遷移される。
同定文字振分画面は、同定する優先順位の最も高いシステム名称の入力領域があり、登録および戻るのボタンが配置される。同定処理に際しては、優先順位の最も高いシステム名称を選択する。前述のように、Ａ市、Ｂ市、Ｃ市の合併の場合には、Ａ市のシステム名称を選択する。
【００１５】
次に、図４の画面上で対象出力文字数選択処理を選択すると、図８の対象出力文字数選択画面に遷移される。
対象出力文字数選択画面の入力領域で、▲１▼対象出力文字数を選択する。
対象結果出力先選択画面には、登録と戻るのボタンが配置される。対象出力文字数が選択された後、登録ボタンを選択することにより選択された数が登録される。また、前の画面に戻る場合には、戻るボタンを選択する。
【００１６】
次に、図４の画面上で同定文字排除処理を選択すると、図９の同定文字排除画面に遷移される。
同定文字排除画面は、排除処理後の文字を同定対象抽出一覧ファイル１８に格納するために、取込ボタンが設けられる。さらに、操作を前に戻す場合には、戻るのボタン領域を選択する。▲１▼取込ボタンを押下することにより、同定対象抽出一覧ファイル１８に出力される。
【００１７】
図１０は、既存外字ファイルと変換後の外字ファイルのフォーマット図である。
一般的に使用されている文字の字形は、文字コードと関連付けてファイルに格納される。従って、外字がファイルから読み出されるときには、関連付けられた文字コードとともに読み出される。ファイルの種類としては、例えば、ｂｍｐ（ビットマップ）ファイル、ＴＴＦファイル、ＴＴＥファイル、ｂｄｆファイル、ホスト用文字パターンファイルなどがある。
【００１８】
図１１は、図８の対象結果出力先選択画面において、対象出力文字数が入力されたときに表示される同定対象抽出一覧画面の図である。図１１において、入力された数の文字数が移行決定文字として表示される。
移行決定文字の『島』（コードはＡ市の５９Ａ１）に対して、移行しない文字対象として『嶋』（Ｂ市６９Ａ１），『嶌』（Ｂ市６ＣＡ１）が表示される。ユーザは、Ａ市移行分とＢ市の文字を比較して、選択する。すなわち、文字下方の余白欄に、移行決定文字と同じであると判断した場合には削除希望○を付ける。同じように、『亀』（Ａ市５９Ａ２）に対して、『龜』（Ｂ市６９ＡＡ）、『龕』（Ｃ市６ＣＡ４）を比較して、同じであると認定した場合には、削除希望○を付ける。『村』に対しても同じ処理を行う。
【００１９】
図１２は、図１１において別の文字を表示した同定対象抽出一覧画面の図である。
この場合にも、移行決定文字の『京』（Ａ市５９Ａ１）に対して、移行しない文字対象として『亰』（Ｂ市６９Ａ１）が表示される。ユーザは文字下方の余白欄に、移行決定文字と同じであると判断した場合には削除希望であるチェックを付ける。同じように、『舗』（Ａ市５９Ａ２）に対して、移行しない文字対象として『舗』（Ｂ市６９ＡＡ），『鋪』（Ｃ市６ＣＡ３）が表示される。この場合は、チェックは付けられていない。同じように、『梁』（Ａ市５９Ａ１）に対して、移行しない文字対象として『渠』（Ｃ市６９Ａ１），『檗』（Ｃ市６ＣＡ１）が表示される。この場合も、チェックは付けられていない。
このように、画面上で移行決定文字に対する移行しない文字対象を比較し、同じと認定した場合には下欄の余白に削除希望を示すチェック済みの記号が入力される。
【００２０】
図１３は、同定する文字集合、同定される文字集合ファイルのフォーマット例を示す図である。
図１における同定する文字集合ファイル１５および同定される文字集合ファイル１６は、いずれも図１３に示すようなファイルのフォーマットで格納される。
システム判別コードには、Ａ，Ｂ，ＣなどのＡ市、Ｂ市、Ｃ市に属する意味のコードが格納され、システム内文字コードには、図１１および図１２に示す文字の下に付加された文字コードが格納され、ドットパターン格納ファイル名には、ビットマップのパターン配列がそのまま格納される。
【００２１】
【発明の効果】
以上説明したように、本発明によれば、市町村合併時の外字統合作業の部分を切り離して、外部委託に作業を行わせることで、作業負荷の軽減が図れる。
【図面の簡単な説明】
【図１】本発明の実施形態を示す文字同定支援サービスシステムの処理フロー図である。
【図２】図１における１回目の同定作業の説明図である。
【図３】図１における２回目の同定作業の説明図である。
【図４】本発明の実施形態を示す文字同定画面フロー図である。
【図５】文字同定システムメインメニューの画面図である。
【図６】図４におけるフォーマット統一画面図である。
【図７】図４における同定文字振分画面図である。
【図８】対象出力文字数選択画面図である。
【図９】同定文字排除画面図である。
【図１０】図１における既存外字ファイルおよび移行後外字ファイルの説明図である。
【図１１】図８において、同定結果出力先として対象出力文字数入力を入力した場合の同定対象抽出一覧画面の図である。
【図１２】図１１と同じく、同定対象抽出一覧画面において、移行決定文字と移行しない文字対象とを比較する同定対象抽出一覧画面の図である。
【図１３】図１における同定する文字集合、排除済み同定文字集合ファイルのフォーマット例を示す図である。
【符号の説明】
１１…既存外字ファイル、１２…フォーマット統一処理、
１３…白黒ＢＭＰ文字集合ファイル、１５…同定する文字集合ファイル、
１６…同定される文字集合ファイル、１７…同定文字排除処理、
１８…同定対象抽出一覧ファイル、１９…同定確認、
２０…排除済み同定字集合ファイル。
【図１】
2004309754.tif 000003
【図２】
2004309754.tif 000004
【図３】
2004309754.tif 000005
【図４】
2004309754.tif 000006
【図５】
2004309754.tif 000007
【図６】
2004309754.tif 000008
【図７】
2004309754.tif 000009
【図８】
2004309754.tif 000010
【図９】
2004309754.tif 000011
【図１０】
2004309754.tif 000012
【図１１】
2004309754.tif 000013
【図１２】
2004309754.tif 000014
【図１３】
2004309754.tif 000015